(57)【特許請求の範囲】
【請求項１】
ハウジングで保持された平板状の複数のグランド板がそれらの板面同士で平行に配され、該グランド板同士間に信号端子の接触部が位置するように設けられたグランド板付電気コネクタにおいて、上記ハウジングがその上壁部から相手コネクタとの嵌合方向たる下方に向け突出して相手コネクタの嵌合空間に進入する嵌合部を有しており、上記嵌合部は、該嵌合部の内部でグランド板をその両側の板面にて保持していると共に、相手コネクタの相手グランド弾性片を受け入れるように、該グランド板の板面内で上記嵌合方向に対して直角な方向における所定位置で嵌合方向に延びて開放されている受入溝部が形成されており、上記グランド板は、上記受入溝部の対向内面から突出して相手コネクタの相手グランド板と接触するための突出条部を有し、上記受入溝部の対向内面で突出する突出条部同士間で嵌合方向に向け延びて開放されているスリットが形成されていて、該スリットの溝縁が対向内縁部を形成して相手グランド弾性片を受け入れて該相手グランド弾性片と接触するようになっていると共に、上記グランド板はハウジングの上壁部から突出した接続部をも有しており、信号端子は、グランド板と平行な平板状をなしてその板面が上記嵌合部の側面に密着して形成された板面状の接触部を有していることを特徴とするグランド板付電気コネクタ。
【請求項２】
接続部はハウジングの上壁部から突出していて半田ボールが施されていることとする請求項１に記載のグランド板付電気コネクタ。
【発明の詳細な説明】
【技術分野】
【０００１】
本発明はグランド板付電気コネクタに関する。
【背景技術】
【０００２】
この種のコネクタとしては、例えば、特許文献１に開示されているコネクタが知られて
いる。この特許文献１では、嵌合接続される両コネクタはそれぞれ交差して格子状を形成
する複数のグランド板を有し、各格子状領域内に信号端子の接触部が収まって位置する。
一方のコネクタの複数のグランド板のそれぞれは二枚のプリント基板で挟持されて一体化した一つの基板をなし、この基板は嵌合方向へ開口するスリットが所定ピッチで形成されている。このスリットの溝内面はメッキ層が施されていて、このメッキ層がグランド板のスリット溝縁と導通している。このグランド板と直交する方向に配された他方のコネクタのグランド板が、上記スリットに進入するようになっている。上記他方のコネクタのグランド板には、切込溝によって弾性片が形成されていて、この弾性片が上記スリット内に進入して該スリットの溝内面のメッキ層と弾性接触する。かくして、二つのコネクタのグランド板同士が、格子状をなすと共に、互の接触を確実ならしめている。
【先行技術文献】
【特許文献】
【０００３】
【特許文献１】特開２０００−６７９５５
【発明の概要】
【発明が解決しようとする課題】
【０００４】
しかしながら、特許文献１のコネクタでは、コネクタの挿抜力が大きいという問題があ
った。この特許文献１では、一方のコネクタのグランド板に形成されたスリットに進入す
る他方のコネクタのグランド板の弾性片は一つのスリットに対して一つだけ形成されてい
る。したがって、一つのスリットに対して接触する弾圧力は一つの弾性片で確保しなくて
はならない。これは、スリット幅に対して一つの弾性片で弾性変位を得なくてはならない
ことを意味し、それだけ弾圧力が大きくなるし、さりとてスリット幅を小さ目にすると十
分な弾性変位量を確保できなくなり、スリット毎での寸法のばらつきに起因して、他スリ
ット位置での接触不良をきたす虞れがある。
【０００５】
かかる特許文献１のコネクタでは、上記の大きな弾性力をもって弾性片と接触する上記一方のコネクタの対応接触部位は、メッキ層となっているので、層厚が小さく強度が低いため、繰り返し嵌合することにより、その接触信頼性が低下する。又、メッキ層はグランド板のスリットの溝内面と接触しているが、その接触面積は小さいので、上記弾性力を受けて接触不良の原因ともなる。
【０００６】
本発明は、このような事情に鑑み、グランド板同士の接触のための弾性片の弾性変位量
を十分確保しつつ、コネクタの挿抜を円滑に行え、かつ接触部位が強度を有して接触信頼性を高めるグランド板付電気コネクタを提供することを目的とする。
【課題を解決するための手段】
【０００７】
本発明に係るグランド板付電気コネクタは、ハウジングで保持された複数の平板状のグランド板がそれらの板面同士で平行に配され、該グランド板同士間に信号端子の接触部が位置するように設けられている。
【０００８】
かかるグランド板付電気コネクタにおいて、本発明では、上記ハウジングがその上壁部から相手コネクタとの嵌合方向たる下方に向け突出して相手コネクタの嵌合空間に進入する嵌合部を有しており、上記嵌合部は、該嵌合部の内部でグランド板をその両側の板面にて保持していると共に、相手コネクタの相手グランド弾性片を受け入れるように、該グランド板の板面内で上記嵌合方向に対して直角な方向における所定位置で嵌合方向に延びて開放されている受入溝部が形成されており、上記グランド板は、上記受入溝部の対向内面から突出して相手コネクタの相手グランド板と接触するための突出条部を有し、上記受入溝部の対向内面で突出する突出条部同士間で嵌合方向に向け延びて開放されているスリットが形成されていて、該スリットの溝縁が対向内縁部を形成して相手グランド弾性片を受け入れて該相手グランド弾性片と接触するようになっていると共に、上記グランド板はハウジングの上壁部から突出した接続部をも有しており、信号端子は、グランド板と平行な平板状をなしてその板面が上記嵌合部の側面に密着して形成された板面状の接触部を有していることを特徴としている。
【０００９】
このような構成の本発明によると、相手コネクタの相手グランド弾性片は、ハウジングの嵌合部により両側の板面にて保持されているグランド板の突出条部と接触する。その際、接触時の弾性力が大きくとも、グランド板はその両側の板面にて嵌合部によりしっかりと保持されており、しかも上記相手グランド弾性片と直接接触する。したがって、グランド板は安定かつ確実な相手グランド弾性片との接触が確保される。
【００１１】
本発明において接続部はハウジングの上壁部から突出していて半田ボールが施されているようにすることができる。
【発明の効果】
【００１２】
本発明は、以上説明にしたように、グランド板をその両側の板面にてハウジングの嵌合部により保持することとし、該嵌合部の受入溝部の対向内面から突出する突出条部で、相手グランド弾性片と接触片と直接接触するようにしたので、その接触時での上記グランド板の保持強度が高く、したがって、その接触は安定かつ確実となる。
【図面の簡単な説明】
【００１３】
【図１】本発明のコネクタに接続されるコネクタの要部を示す部分破断斜視図である。
【図２】図１のコネクタに接続される本発明のコネクタの要部を示す部分破断斜視図である。
【図３】図１のコネクタの信号端子とグランド板の位置関係を示す側面図である。
【図４】図１と図２のコネクタの嵌合状態での要部を示す部分破断斜視図である。
【図５】図１と図２のコネクタの嵌合関係を示す断面模式図で、（Ａ）は嵌合前、（    Ｂ）は嵌合後を示す。
【発明を実施するための形態】
【００１４】
以下、添付図面の図１ないし図５にもとづき、本発明の実施形態を説明する。
【００１５】
図１は本実施形態のコネクタであり、図２はこれに嵌合接続される相手コネクタを示し
、両図共に嵌合接続される一部を斜視図で表されている。本実施形態では、以下の説明において、図２のコネクタを主体として見れば、図１のコネクタが相手コネクタとなる。
【００１６】
図１に示される本実施形態のコネクタ１０は、電気絶縁材料で作られたハウジング１１
に、信号端子１２そしてグランド板１３が支持されている。信号端子１２そしてグランド
板１３は、図において、立体空間座標ＸＹＺのＸＺ平面にほぼ平行な面をもって、Ｙ方向
に定間隔で交互に配されている。
【００１７】
一つのＸＺ平面に位置する複数の信号端子１２は、図１そして図３に見られるように、
金属板の板面をそのまま維持して外形加工を受けて作られていて、その板面が上記ＸＺ平
面に位置している。この信号端子１２は、ハウジング１１の底壁部１１Ａに保持されてい
る部分よりも上方に突出する直立部１２Ａから延びて略「Ｓ」字状をなす弾性腕部１２Ｂ
を有し、その自由端側に形成された「く」字状部分が接触部１２Ｃをなしている。また、
上記ハウジング１１により保持されている部分よりも下方部分は該ハウジング１１の底壁
部１１Ａから下方に突出して接触部１２Ｄ（図３参照）をなしている。このように形成さ
れる信号端子１２は、上記弾性腕部１２Ｂが互に対向するように、二つの信号端子１２が
対称的に対をなすように配されている。かかる信号端子１２はＸ方向で複数対配設され、
このような複数対の信号端子がＹ方向で定間隔に複数列設けられている。上記Ｙ方向にお
ける複数列の信号端子１２の各列の間には、グランド板１３がハウジング１１の底壁部１
１Ａで支持されている。グランド板１３は、図３からも判るように、一つのＹＺ平面では
、連続した一枚の金属で作られていて、Ｙ方向に見たとき、一つのグランド板１３が複数
の信号端子１２に対面している。一つのグランド板１３は、図３に見られるように、ハウ
ジング１１の底壁部１１Ａ内でつながっているが、この底壁部１１Ａの上面よりも上方で
は、上方に開口する複数の切込溝により異なる部分を形成している。上端から中間部にま
で延びる広溝１４と狭溝１５との間には壁部１６が形成され、狭溝１５とこれに隣接して
上記底壁部１１Ａまで延びる屈曲溝１７との間には第一弾性片１８が、そして上記狭溝１
５よりも下方に延びる深溝１９と屈曲溝１７の間には第二弾性片２０が形成されている。
上記広溝１４の左右両側の壁部１６及び第一弾性片１８そして第二弾性片２０は上記広溝
１４に対して対称に形成されている。壁部１６はその一側縁を形成する広溝１４があまり
深く下方に延びていないので、比較的大きい剛性を有しているのに対し、第一弾性片１８
そして第二弾性片２０は屈曲溝１７が深くなっているために、板厚方向で弾性を有し可撓
性をもっている。
【００１８】
上記壁部１６は比較的単純な舌片状をなしているのに対し、第一弾性片１８と第二弾性
片２０は、両者間に位置する屈曲溝１７が略クランク状に屈曲しているので、複雑な形状
をなし第一弾性片１８は上縁部分が上記屈曲溝１７側に張出した第一張出部１８Ａを、そ
して第二弾性片２０は上記第一弾性片１８の第一張出部１８Ａよりも下方で上記屈曲溝１
７側に張出した第二張出部２０Ａを有している。    
【００１９】
上記第一張出部１８Ａと第二張出部２０Ａは、図３に見られるように、横方向で重なる
範囲を有している。この第一張出部１８Ａと第二張出部２０Ａは、図１に見られるように
、それぞれの板厚方向で互に逆方向に「く」字状に弯曲していて、それらの弯曲突部が相
手グランド板に形成されたスリット内面と接触する圧接部１８Ｂ，２０Ｂを形成している
。すなわち、この二つの圧接部１８Ｂ，２０Ｂはグランド板１３の板厚方向で互に逆方向
に変位しており、上記横方向で重なるようにして上下に位置している。
【００２０】
図３からも判るように、グランド板１３そして信号端子１２の板面に対し直角方向すな
わち図３で紙面に対して直角方向に見たときに、信号端子１２は完全にグランド板１３の
壁部１６と第一弾性片１８もしくは第二弾性片２０の領域範囲内にあり、グランド板１３
の切込溝、すなわち広溝１４、狭溝１５、深溝１９と上記信号端子１２が交差せず、信号
端子１２は全長（但し、ハウジング１１の底壁１１Ａから下方に突出する部分を除く）で
、グランド板１３と対面するようになる。  又、グランド板１３は、ハウジングの底壁１
１Ａから下方に突出する接続部１３Ａを有している。
【００２１】
このような信号端子１２としてグランド板１３を有するコネクタ１０は、そのハウジン
グ１１に底壁部１１Ａから上方に突出する嵌合部２１を有している。この嵌合部２１は、
図１にてＹ方向に延びていて、同方向に所定間隔でスリット２２が形成されている。該ス
リット２２には、信号端子１２の接触部１２Ｃが形成されている自由端側以外の弾性腕部
１２Ｂの部分と、グランド板１３の壁部１６とをそれぞれ収められている。  
【００２２】
かかる、本実施形態のコネクタ１０へ嵌合接続される相手コネクタ３０は、図２に見ら
れるように、相手ハウジング３１がその上壁部３１Ａから下方に突出する相手嵌合部３２
を有している。この相手嵌合部３２は、上記コネクタ１０の嵌合部２１により形成される
空間に進入して該嵌合部２１と嵌合する。
【００２３】
上記相手嵌合部３２は、上記コネクタ１０のグランド板１３の第一弾性片１８と第二弾
性片２０とを受入れるように、Ｙ方向の所定位置に受入溝部３３が形成されている。
【００２４】
相手コネクタ３０の相手信号端子３４は、上記相手嵌合部３２のＹＺ面に密着して設け
られた板面状の相手接触部３４Ａを有し、相手ハウジング３１の上壁部３１Ａから突出し
た接続部に半田ボール３５が施されている。
【００２５】
相手グランド板３６は、ＹＺ面を板面としてＹ方向に延びており、上記コネクタ１０の
グランド板１３の第一弾性片１８と第二弾性片２０が圧入されるスリット３８がＹ方向の
所定位置に下方向け開口して形成されている。かかる相手グランド板３６は、上記相手ハ
ウジング３１の相手嵌合部３２に一体モールド成形により、したがって、その両側の板面で保持されており、上記スリット３８の対向内縁部３８Ａが上記相手ハウジング３１の受入溝部３３の内面から突出して突出条部３７Ａを形成している。このような相手グランド板３６は、相手ハウジング３１の上壁部３１Ａから突出した接続部を有し、この接続部に半田ボール３７が施されている。
【００２６】
このような二つのコネクタ１０、相手コネクタ３０は次のようにして嵌合接続される。
【００２７】
先ず、二つのコネクタ１０、相手コネクタ３０はそれぞれ、信号端子そしてグランド板
の接続部が回路基板等の接続対象に半田接続される。
【００２８】
次に、上記二つのコネクタ１０、相手コネクタ３０が嵌合される。嵌合は、コネクタ１
０、相手コネクタ３０の嵌合部２１、相手嵌合部３２が互いに対応凹部に入り込むように
行われる。  
【００２９】
この嵌合が行われると、両コネクタ１０、相手コネクタ３０のグランド板１３、相手グ
ランド板３６同士が交差するようになり格子状領域を形成し、一方、信号端子１２、相手
信号端子３４同士は各格子状領域内で接触接続される（図３の二点鎖線部分及び図４参照
）。図３そして図４からも判るように、相手グランド板３６のスリット３８の縁部で形成された突出条部３７Ａにはグランド板１３の第一弾性片１８と第二弾性片２０が進入し、それぞれ第一張出部１８Ａそして第二張出部２０Ａの圧接部１８Ｂ，２０Ｂが上記スリット３８の対向縁部３８Ａに対し、逆向に弾圧接触する。すなわち、二つの圧接部１８Ｂ，２０Ｂが上記対向縁部３８Ａの対向面に別々に弾圧する。したがって、両圧接部１８Ｂ，２０Ｂのそれぞれでは上記スリット３８の溝幅の半分の距離の弾性変位置が生ずるだけで、グランド板１３と相手グランド板３６は互いに接触接続できる。  
【００３０】
一方、コネクタ１０の信号端子１２は、その接触部１２Ｃにて、コネクタ３０の信号端
子３４の接触部３４Ａに対し、両接触部１２Ｃと相手接触部３４Ａの互の板面が直角とな
るようにして接触する。  
【００３１】
上記信号端子１２は、その直立部１２Ａそして弾性椀部１２Ｂが既述したように、対面
するグランド板１３の壁部１６と第一張出部１８Ａもしくは第二張出部２０Ａの領域範囲
内にあり、その信号電流の流れの経路は上記グランド板１３の切込溝と交差することがな
く連続して該グランド板１３と対面している。したがって、この信号電流経路はグランド
板１３との間の距離を最短に保つこととなり、伝送回路での伝播エネルギロスを最小化す
る。
【００３２】
かくして、嵌合された両コネクタ１０、相手コネクタ３０は、断面模式的に示される図
５からも判るように、各信号端子の接触部１２Ｃ、相手接触部３４Ａは、グランド板１３
、相手グランド板３６により形成される格子状領域内にあり、これらのグランド板１３、
相手グランド板３６で完全にシールドされる。なお、図５（Ａ）はコネクタ同士の嵌合前
、（Ｂ）は嵌合後を示している。
【符号の説明】
【００３３】
１０  コネクタ                  ３３  受入溝部
１８  弾性片（第一弾性片）      ３４  信号端子
２０  弾性片（第二弾性片）      ３５  半田ボール
３０  コネクタ                  ３６  グランド板
３１  ハウジング                ３７Ａ  突出条部
３１Ａ  上壁部                  ３８  スリット
３２  嵌合部
【図１】
0004766714.tif 000002
【図２】
0004766714.tif 000003
【図３】
0004766714.tif 000004
【図４】
0004766714.tif 000005
【図５】
0004766714.tif 000006